(57)【要約】【課題】簡単な装置にて迅速に可撓性膜構造物を起伏でき、また、自動的にその起立状態を保持できる可撓性膜構造物の起伏制御装置を提供する。【解決手段】切替装置１８の吸込側三方弁２８を高圧送風機１６の吸込口１６ａに外気が供給される位置に切替え、吐出側三方弁３０を吐出口１６ｂから吐出される圧縮空気が可撓性膜構造物１２へと送気される位置に切替えるとともに、高圧送風機１６を運転すると、外気が可撓性膜構造物１２内へ送気される。また、圧力リレー４０によって可撓性膜構造物１２内に充填した圧縮空気の空気圧が所定の設定圧力範囲内となるように、高圧送風機１６の動作が制御されている。一方、切替装置１８の吸込側三方弁２８と吐出側三方弁３０とを起立の場合とは逆の位置に切替えるとともに、高圧送風機１６を運転すると、可撓性膜構造物１２に充填した圧縮空気が強制的に吸引されて大気中へと排出される。【選択図】      図１
2005029967.tif 000002
【特許請求の範囲】
【請求項１】
所定の区間に敷設された可撓性膜構造物の内部に圧縮空気を給排して前記可撓性膜構造物を起伏させる起伏制御装置であって、
（ａ）吸込口から吸込んだ空気を圧縮して吐出口から吐出する高圧送風機、
（ｂ）前記吸込口と前記可撓性膜構造物とを接続する配管上に設けられ、前記吸込口へ供給する空気の供給源を前記可撓性膜構造物或いは外気のいずれか一方に切替える吸込側三方弁と、前記吐出口と前記可撓性膜構造物とを接続する配管上に設けられ、前記吐出口から吐出した圧縮空気の流れ方向を前記可撓性膜構造物或いは大気中のいずれか一方に切替える吐出側三方弁とを有し、前記可撓性膜構造物内部への給排気を切替える切替装置、および
（ｃ）前記可撓性膜構造物内部の空気圧を監視するとともに、該空気圧が所定の範囲となるように前記高圧送風機の動作を制御する圧力リレーを具備することを特徴とする起伏制御装置。
【請求項２】
請求項１に記載の起伏制御装置と、施設の入口を横断するように敷設された密閉袋状の可撓性膜構造物とで構成されたことを特徴とする浸水防止設備。
【発明の詳細な説明】
【０００１】
【産業上の利用分野】
本発明は、可撓性膜構造物の起伏制御装置、特に施設の入口から施設内へ浸入する水の流れを堰き止める防災用の可撓性膜構造物の起伏制御装置ならびに該装置を用いた浸水防止設備に関するものである。
【０００２】
【従来の技術】
近年、台風や集中豪雨などで河川や用水路が氾濫し、地下駐車場や地下街などの地下施設の入口および建造物地階の入口などから多量の水が浸入することによって、これら施設が浸水被害に遭うといった事例が増えている。このような浸水被害を防止するためには、水の浸入経路を遮断する措置をとることが望まれる。
【０００３】
このような措置として、従来からの土嚢や可搬式防水堤を設置する方法にかえて、最近ではゴム堰などの可撓性膜構造物で施設入口からの浸水を遮断する方法が用いられている（例えば、特許文献１参照。）。
【０００４】
可撓性膜構造物を用いるこの方法では、図２に示すように、空気圧縮機（１），空気タンク（２），給気用開閉弁（３），排気用開閉弁（４）および排気放出部（５）などで構成された起伏制御装置（６）が用いられており、給気用開閉弁（３）を開けて空気タンク（２）に蓄えられた圧縮空気などの流体を、施設入口（７）を横断するように敷設した可撓性膜構造物（８）へと配管（９）を介して供給する。すると可撓性膜構造物（８）が起立して施設への浸水を防止することができる。そして、洪水が収まり施設への浸水の心配がなくなると排気用開閉弁（４）を開けて、可撓性膜構造物（８）に供給した圧縮空気を配管（９）および排気放出部（５）を介して大気中へ放出し可撓性膜構造物（８）を倒伏させる。
【０００５】
このように可撓性膜構造物（８）内に圧縮空気を給排することによって可撓性膜構造物（８）を起伏するこの技術では、施設入口（７）の浸水遮断作業を少人数で短時間に行うことができる。
【０００６】
【特許文献１】
特開２００３−６４７０１号公報（第２−４頁、第２図）
【０００７】
【発明が解決しようとする課題】
しかしながら、上述の技術では、可撓性膜構造物（８）を起立させるために多量の圧縮空気が必要であり、圧縮空気を貯蔵する空気タンク（２）を大型のものにしなければない。したがって、可撓性膜構造物（８）の起伏制御装置（６）が大型化するため、この装置（６）を設置するために大きなスペースを確保しなければならないという問題があった。
【０００８】
また、例えば可撓性膜構造物（８）にピンホールが発生した場合、このピンホールから圧縮空気が漏れ出すようになるが、このような起伏制御装置（６）では、可撓性膜構造物（８）の起立状態を維持するため、人が常時監視しながら起伏制御装置（６）の運転を調節しなければならず、可撓性膜構造物（８）の起立状態を維持するのが困難であるという問題もあった。
【０００９】
そして、可撓性膜構造物（８）内に充填した圧縮空気を排出する際に、可撓性膜構造物（８）の弾性回復力と圧縮空気の圧力とによって、可撓性膜構造物（８）内の圧縮空気をある程度まで排出することはできるが、可撓性膜構造物（８）内の圧縮空気を完全に排出するためには、可撓性膜構造物（８）を外側から押して、内部の圧縮空気を押し出さなくてはならない。したがって、可撓性膜構造物（８）の倒伏作業に労力と時間がかかり、洪水が収まっても、すぐに施設の利用を再開できないという問題があった。
【００１０】
それゆえに、本発明の主たる課題は、簡単な装置にて迅速に可撓性膜構造物を起伏できるとともに、可撓性膜構造物を起立させた際にはその状態を自動的に保持できる可撓性膜構造物の起伏制御装置を提供することである。また、本発明の更なる課題は、このような起伏制御装置を備え、必要な際には何時でも迅速かつ確実に施設の入口から浸入する水の流れを遮断できるとともに、用務が終了した際には迅速に可撓性膜構造物を倒伏して収納することができる浸水防止設備を提供することである。
【００１１】
【課題を解決するための手段】
請求項１に記載した発明は、「所定の区間に敷設された可撓性膜構造物（１２）の内部に圧縮空気を給排して可撓性膜構造物（１２）を起伏させる起伏制御装置（１４）であって、（ａ）吸込口（１６ａ）から吸込んだ空気を圧縮して吐出口（１６ｂ）から吐出する高圧送風機（１６）、（ｂ）吸込口（１６ａ）と可撓性膜構造物（１２）とを接続する配管（２２）上に設けられ、吸込口（１６ａ）へ供給する空気の供給源を可撓性膜構造物（１２）或いは外気のいずれか一方に切替える吸込側三方弁（２８）と、吐出口（１６ｂ）と可撓性膜構造物（１２）とを接続する配管（２４）上に設けられ、吐出口（１６ｂ）から吐出した圧縮空気の流れ方向を可撓性膜構造物（１２）或いは大気中のいずれか一方に切替える吐出側三方弁（３０）とを有し、可撓性膜構造物（１２）内部への給排気を切替える切替装置（１８）、および（ｃ）可撓性膜構造物（１２）内部の空気圧を監視するとともに、該空気圧が所定の範囲となるように高圧送風機（１６）の動作を制御する圧力リレー（４０）を具備する」ことを特徴とするものである。
【００１２】
この発明の可撓性膜構造物（１２）の起伏制御装置（１４）では、可撓性膜構造物（１２）を起立させようとする場合、まず、切替装置（１８）の吸込側三方弁（２８）を高圧送風機（１６）の吸込口（１６ａ）に外気が供給される位置に切替るとともに、切替装置（１８）の吐出側三方弁（３０）を吐出口（１６ｂ）から吐出される圧縮空気が可撓性膜構造物（１２）へと送気される位置に切替える。このように切替装置（１８）をセットして、高圧送風機（１６）を運転すると、外気が吸込側三方弁（２８）および配管（２２）を経て吸込口（１６ａ）へと送られ、吸込口（１６ａ）から高圧送風機（１６）内へと吸い込まれた外気が高圧送風機（１６）内にて圧縮される。そして、圧縮された外気（すなわち圧縮空気）が吐出口（１６ｂ）から吐出され、配管（２４）および吐出側三方弁（３０）を経て可撓性膜構造物（１２）内へと高い圧力にて送気される。これにより、可撓性膜構造物（１２）を迅速に起立させることができる。
【００１３】
また、可撓性膜構造物（１２）を起立させた際には、圧力リレー（４０）によって可撓性膜構造物（１２）内に充填した圧縮空気の空気圧が所定の設定圧力範囲内となるように、高圧送風機（１６）の動作が制御されている。したがって、例えば可撓性膜構造物（１２）にピンホールが発生し、このピンホールから圧縮空気が漏れ出すようになった場合でも、可撓性膜構造物（１２）内の圧縮空気の空気圧が所定の設定圧力範囲内となるように（圧力リレー（４０）から与えられる信号によって）高圧送風機（１６）が作動するので、可撓性膜構造物（１２）内の空気圧が一定に保たれ、可撓性膜構造物（１２）の起立状態を自動的に維持することができる。
【００１４】
そして、可撓性膜構造物（１２）を倒伏させようとする場合、上述した起立の場合とは逆に、まず切替装置（１８）の吸込側三方弁（２８）を高圧送風機（１６）の吸込口（１６ａ）に可撓性膜構造物（１２）に充填した圧縮空気が供給される位置に切替え、吐出側三方弁（３０）を吐出口（１６ｂ）から吐出される圧縮空気が大気中へと送風される位置に切替える。このように切替装置（１８）をセットして、高圧送風機（１６）を運転すると、可撓性膜構造物（１２）に充填した圧縮空気が強制的に吸引されて配管（２２）および吸込側三方弁（２８）を経て吸込口（１６ａ）へと送られ、吸込口（１６ａ）から高圧送風機（１６）内へと吸い込まれた圧縮空気が吐出口（１６ｂ）から吐出され、配管（２４）および吐出側三方弁（３０）を経て大気中へと排出される。このように高圧送風機（１６）によって可撓性膜構造物（１２）に充填された圧縮空気が強制的に排出されるので、何ら労力をかけず迅速に可撓性膜構造物（１２）を倒伏させることができる。
【００１５】
請求項２に記載した発明は、「請求項１に記載の起伏制御装置（１４）と、施設の入口を横断するように敷設された密閉袋状の可撓性膜構造物（１２）とで構成された」ことを特徴とする浸水防止設備（１０）で、これにより、必要な際には何時でも迅速かつ確実に施設の入口から浸入する水の流れを遮断できるとともに、用務が終了した際には迅速に可撓性膜構造物（１２）を倒伏して収納することができる。
【００１６】
【発明の実施の形態】
以下、本発明に係る実施例を図面を参照しつつ説明する。この発明の一実施例（図１）の浸水防止設備（１０）は、洪水などの際に地下施設や建造物地階の入口（１１）から多量の水が施設内に浸入するのを防止するためのものであり、可撓性膜構造物（１２）と起伏制御装置（１４）とで構成されている。
【００１７】
可撓性膜構造物（１２）は、ゴムなどの耐候性を有する可撓性材料の膜を密閉袋状に成形したものであり、地下施設や建造物地階の入口（１１）内面に水密的に固定され、その内部に圧縮空気などの流体を供給することにより膨張し、かつ、流体を抜くことにより収縮する可動式の堰となるものである。
【００１８】
起伏制御装置（１４）は、可撓性膜構造物（１２）の内部に圧縮空気を給排するためのものであり、高圧送風機（１６），切替装置（１８），制御手段（２０）および配管（２２）（２４）などで構成されている。
【００１９】
高圧送風機（１６）は、吸込口（１６ａ）から吸い込んだ空気を圧縮するとともに、この圧縮空気を吐出口（１６ｂ）から吐出する、つまり、常時一定の方向に向けて圧縮空気を送風するためのものである。
【００２０】
この高圧送風機（１６）の吸込口（１６ａ）には４０Ａ銅管または高圧ホースなど高圧送風機（１６）の性能を最大限発揮できるような配管（２２）の一端が接続されており、また、吐出口（１６ｂ）には４０Ａ銅管または高圧ホースなどで形成された配管（２４）の一端が接続されている。そして、これら配管（２２）（２４）の他端は共に可撓性膜構造物（１２）の内部空間に接続されている。なお、本実施例では、配管（２２）と配管（２４）とが可撓性膜構造物（１２）に接続する手前で連結され、４０Ａ銅管または高圧ホースなどで形成された配管（２６）を介して可撓性膜構造物（１２）の内部空間に接続されるようになっている。
【００２１】
切替装置（１８）は、可撓性膜構造物（１２）に対する送気方向を切替えるためのものであり、配管（２２）上に設けられた吸込側三方弁（２８）と配管（２４）上に設けられた吐出側三方弁（３０）とで構成されている。
【００２２】
吸込側三方弁（２８）は、出口ポート（２８ａ）、充気ポート（２８ｂ）および排気ポート（２８ｃ）を有し、このうち出口ポート（２８ａ）と排気ポート（２８ｃ）とが配管（２２）に接続されている。そして、充気ポート（２８ｂ）には、その一端がフィルター（３２）を介して外気つまり大気中と通ずる配管（３４）が接続されている。また、吸込側三方弁（２８）にはソレノイド（２８ｄ）が取付けられており、このソレノイド（２８ｄ）に後述する制御手段（２０）から信号電流が給止されることで、吸込側三方弁（２８）の出口ポート（２８ａ）が充気ポート（２８ｂ）あるいは排気ポート（２８ｃ）のいずれかと連通するように切替制御が行われている。つまり、高圧送風機（１６）の吸込口（１６ａ）へ供給する空気の供給源を可撓性膜構造物（１２）内に充填された空気或いは外気のいずれか一方に切替えるようにしている。
【００２３】
吐出側三方弁（３０）は、入口ポート（３０ａ）、充気ポート（３０ｂ）および排気ポート（３０ｃ）を有し、このうち入口ポート（３０ａ）と充気ポート（３０ｂ）とが配管（２４）に接続されている。そして、排気ポート（３０ｃ）には、その一端が前述のフィルター（３２）を介して大気中と通ずる配管（３６）が接続されている。また、吐出側三方弁（３０）にはソレノイド（３０ｄ）が取付けられており、このソレノイド（３０ｄ）に後述する制御手段（２０）から信号電流が給止されることで、吐出側三方弁（３０）の入口ポート（３０ａ）が充気ポート（３０ｂ）あるいは排気ポート（３０ｃ）のいずれかと連通するように切替制御が行われている。つまり、高圧送風機（１６）の吐出口（１６ｂ）から吐出される圧縮空気の流れ方向を可撓性膜構造物（１２）内に与えるか或いは大気中へ放出するかのいずれか一方に切替えるようにしている。また、吐出側三方弁（３０）の充気ポート（３０ｂ）に接続した配管（２４）上には、吐出側三方弁（３０）を介して高圧送風機（１６）から与えられる圧縮空気が逆流しないように逆止弁（３１）が取付けられている。
【００２４】
制御手段（２０）は、高圧送風機（１６）や切替装置（１８）の動作・停止を制御して可撓性膜構造物（１２）の起伏を制御するためのものであり、運転スイッチ（３８）や圧力リレー（４０）を含む各種リレーなどで構成されている。この制御手段（２０）は、配線（４２）を介して高圧送風機（１６）に接続されており、また、配線（４４）を介して吸込側三方弁（２８）のソレノイド（２８ｄ）および吐出側三方弁（３０）のソレノイド（３０ｄ）に接続されている。そして、これらの配線（４２）（４４）を介して高圧送風機（１６）や吸込側三方弁（２８）および吐出側三方弁（３０）などで構成された切替装置（１８）には、信号電流などの制御手段（２０）の制御信号が与えられている。
【００２５】
運転スイッチ（３８）は、起伏制御装置（１４）の制御動作を切替えるためのものであり、起伏制御装置（１４）の作動を停止させる「停止」、可撓性膜構造物（１２）に圧縮空気を供給するとともに可撓性膜構造物（１２）内における圧縮空気の空気圧が一定の範囲となるように起伏制御装置（１４）を作動させる「充気自動」および可撓性膜構造物（１２）に充填した圧縮空気を排出するように起伏制御装置（１４）を作動させる「排気」の３つのポジションで構成されている。
【００２６】
圧力リレー（４０）は、吸込側三方弁（２８）の排気ポート（２８ｃ）と可撓性膜構造物（１２）とを接続する配管（２２）から分枝した配管（４６）に取付けられ、可撓性膜構造物（１２）内に供給した圧縮空気の空気圧を圧力計（４０ａ）で監視するとともに、該空気圧が所定の範囲となるように高圧送風機（１６）の動作を制御するものである。本実施例では、具体的に以下のように高圧送風機（１６）の動作を制御している。
【００２７】
すなわち、運転スイッチ（３８）が「充気自動」のポジションにある場合には、圧力計（４０ａ）で計測される可撓性膜構造物（１２）内の圧力が予め設定した設定圧力範囲（例えば０．１５〜０．２ｋｇｆ／ｃｍ２）を下回ると高圧送風機（１６）をオンにして可撓性膜構造物（１２）に圧縮空気が送られる。逆に、可撓性膜構造物（１２）内の圧力が予め設定した設定圧力範囲（例えば０．１５〜０．２ｋｇｆ／ｃｍ２）を上回ると高圧送風機（１６）がオフにされ、直ちに可撓性膜構造物（１２）への圧縮空気の供給を停止する。
【００２８】
また、運転スイッチ（３８）が「排気」のポジションにある場合には、圧力計（４０ａ）で計測される可撓性膜構造物（１２）内の圧力が予め設定した設定圧力値（例えば−０．１５ｋｇｆ／ｃｍ２つまり真空状態）を下回ると高圧送風機（１６）をオフにして自動停止する。
【００２９】
本実施例の浸水防止設備（１０）を使用して、洪水などによる施設への浸水を防止する際には、まず、制御手段の電源（図示せず）をオンにして、予め「停止」のポジションに設定されている制御手段（２０）の運転スイッチ（３８）を「充気自動」のポジションに設定する。すると、配線（４４）を介して制御手段（２０）から吸込側三方弁（２８）のソレノイド（２８ｄ）と吐出側三方弁（３０）のソレノイド（３０ｄ）とに所定の信号電流が与えられ、吸込側三方弁（２８）の出口ポート（２８ａ）と充気ポート（２８ｂ）とが連通し、吐出側三方弁（３０）の入口ポート（３０ａ）と充気ポート（３０ｂ）とが連通する。つまり、高圧送風機（１６）の吸込口（１６ａ）に外気が供給されるように吸込側三方弁（２８）の切替制御が行われ、吐出口（１６ｂ）から吐出される圧縮空気が可撓性膜構造物（１２）へと送風されるように吐出側三方弁（３０）の切替制御が行われる。
【００３０】
さらに、これと同時に、配線（４２）を介して制御手段（２０）から高圧送風機（１６）に所定の制御信号が与えられ、高圧送風機（１６）が作動する。これにより、フィルター（３２）を通過してろ過された外気が吸込側三方弁（２８）および配管（２２）を経て吸込口（１６ａ）へと送られる。
【００３１】
そして、吸込口（１６ａ）から高圧送風機（１６）内へと吸い込まれた外気が高圧送風機（１６）内にて圧縮された後、吐出口（１６ｂ）から吐出され、配管（２４）、吐出側三方弁（３０）、逆止弁（３１）および配管（２６）を経て可撓性膜構造物（１２）内へと高い圧力にて送風される。このため、可撓性膜構造物（１２）を迅速に起立させることができる。
【００３２】
可撓性膜構造物（１２）が起立し、配管（４６）を介して可撓性膜構造物（１２）内の圧力を計測する圧力計（４０ａ）の圧力が、０．２ｋｇｆ／ｃｍ２を超えると圧力リレー（４０）から配線（４２）を介して高圧送風機（１６）に信号が与えられ、高圧送風機（１６）がオフにされ、直ちに可撓性膜構造物（１２）への圧縮空気の供給を停止する。
【００３３】
一方、圧力計（４０ａ）の圧力が、０．１５ｋｇｆ／ｃｍ２を下回ると圧力リレー（４０）から配線（４２）を介して高圧送風機（１６）に信号が与えられ、高圧送風機（１６）をオンにして可撓性膜構造物（１２）に圧縮空気が送られる。
【００３４】
したがって、例えば可撓性膜構造物（１２）にピンホールが発生し、このピンホールから圧縮空気が漏れ出すようになっても、可撓性膜構造物（１２）内の圧縮空気の空気圧が所定の設定圧力範囲内（０．１５〜０．２ｋｇｆ／ｃｍ２）となるように、圧力リレー（４０）から与えられる信号によって高圧送風機（１６）が作動するので、可撓性膜構造物（１２）内の空気圧が一定に保たれ、可撓性膜構造物（１２）の起立状態を自動的に維持することができる。
【００３５】
そして、洪水が収まり、可撓性膜構造物（１２）を倒伏させようとする場合には、まず、制御手段（２０）の運転スイッチ（３８）を「排気」のポジションに切替える。すると、配線（４４）を介して制御手段（２０）から吸込側三方弁（２８）のソレノイド（２８ｄ）と吐出側三方弁（３０）のソレノイド（３０ｄ）とに所定の信号電流が与えられ、吸込側三方弁（２８）の出口ポート（２８ａ）と排気ポート（２８ｃ）とが連通し、吐出側三方弁（３０）の入口ポート（３０ａ）と排気ポート（３０ｃ）とが連通する。つまり、高圧送風機（１６）の吸込口（１６ａ）に可撓性膜構造物（１２）内に充填した圧縮空気が供給されるように吸込側三方弁（２８）の切替制御が行われ、吐出口（１６ｂ）から吐出される圧縮空気が大気中へと送風されるように吐出側三方弁（３０）の切替制御が行われる。
【００３６】
さらに、これと同時に、配線（４２）を介して制御手段（２０）から高圧送風機（１６）に所定の制御信号が与えられ、高圧送風機（１６）が作動する。これにより、可撓性膜構造物（１２）に充填した圧縮空気が強制的に吸引されて配管（２２）および吸込側三方弁（２８）を経て吸込口（１６ａ）へと送られる。
【００３７】
そして、吸込口（１６ａ）から高圧送風機（１６）内へと吸い込まれた圧縮空気が吐出口（１６ｂ）から吐出され、配管（２４）、吐出側三方弁（３０）、配管（３６）およびフィルター（３２）を介して大気中へと排出される。このため、高圧送風機（１６）によって可撓性膜構造物（１２）に充填した圧縮空気が強制的に排出されることとなり、何ら労力をかけず迅速に可撓性膜構造物（１２）を倒伏させることができる。
【００３８】
なお、フィルター（３２）における可撓性膜構造物（１２）倒伏時の（吐出側三方弁（３０）を経て大気中へ放出される）圧縮空気の送気方向は、可撓性膜構造物（１２）起立時の送気方向の逆となる（図１参照）。したがって、可撓性膜構造物（１２）への外気供給と可撓性膜構造物（１２）に供給した空気の排出の際に同じフィルター（３２）を通すことによって、可撓性膜構造物（１２）に供給した空気を排出する際にフィルター（３２）が逆洗されることとなり、フィルター（３２）の交換周期を延ばすことができる。
【００３９】
可撓性膜構造物（１２）が倒伏し、配管（４６）を介して可撓性膜構造物（１２）内の圧力を計測する圧力計（４０ａ）の圧力が、−０．１５ｋｇｆ／ｃｍ２を下回ると圧力リレー（４０）から配線（４２）を介して高圧送風機（１６）に信号が与えられ、高圧送風機（１６）がオフにされ、直ちに可撓性膜構造物（１２）内に充填した圧縮空気の吸引を停止する。つまり、高圧送風機（１６）を自動停止することができる。
【００４０】
本実施例の浸水防止設備（１０）によれば、必要な際には何時でも迅速かつ確実に施設の入口（１１）から浸入する水の流れを遮断できるとともに、用務が終了した際には迅速に可撓性膜構造物（１２）を倒伏して収納することができる。
【００４１】
なお、上述の実施例では、１つの制御手段（２０）で起伏制御装置（１４）を制御するようにしているが、制御手段（２０）に切替手段を設けるとともに、これに上述した制御手段（２０）と同じ構成の遠隔制御手段（図示せず）を接続して、制御手段（２０）もしくは遠隔制御手段のいずれか一方で起伏制御装置（１４）を制御するようにしてもよい。
【００４２】
【発明の効果】
請求項１記載の発明によれば、切替装置の吸込側三方弁を高圧送風機の吸込口に外気が供給される位置に切替え、吐出側三方弁を吐出口から吐出される圧縮空気が可撓性膜構造物へと送気される位置に切替えるとともに、高圧送風機を運転すると、圧縮された外気（すなわち圧縮空気）が可撓性膜構造物内へと高い圧力にて送風される。これにより、可撓性膜構造物を迅速に起立させることができる。
【００４３】
また、吸込側三方弁と可撓性膜構造物との間の配管には圧力リレーが取付けられており、可撓性膜構造物内に充填した圧縮空気の空気圧が所定の設定圧力範囲内となるように、高圧送風機の動作が制御されているので、可撓性膜構造物の起立状態を自動的に維持することができる。
【００４４】
そして、切替装置の吸込側三方弁を高圧送風機の吸込口に可撓性膜構造物に充填した圧縮空気が供給される位置に切替え、吐出側三方弁を吐出口から吐出される圧縮空気が大気中へと送風される位置に切替えるとともに、高圧送風機を運転すると、可撓性膜構造物に充填した圧縮空気が強制的に吸引されて、何ら労力をかけず迅速に可撓性膜構造物を倒伏させることができる。
【００４５】
請求項２記載の発明によれば、必要な際には何時でも迅速かつ確実に施設の入口から浸入する水の流れを遮断できるとともに、用務が終了した際には迅速に可撓性膜構造物（１２）を倒伏して収納することができる。
【００４６】
したがって、簡単な装置にて迅速に可撓性膜構造物を起伏できるとともに、可撓性膜構造物を起立させた際にはその状態を自動的に保持できる可撓性膜構造物の起伏制御装置と該起伏制御装置を用いた浸水防止設備を提供することができる。
【図面の簡単な説明】
【図１】本発明の一実施例の浸水防止設備を示す概略図である。
【図２】従来の技術を示す概略図である。
【符号の説明】
（１０）・・・浸水防止設備
（１２）・・・可撓性膜構造物
（１４）・・・起伏制御装置
（１６）・・・高圧送風機
（１６ａ）・・・吸込口
（１６ｂ）・・・吐出口
（１８）・・・切替装置
（２０）・・・制御手段
（２２），（２４），（２６）・・・配管
（２８）・・・吸込側三方弁
（３０）・・・吐出側三方弁
（３１）・・・逆止弁
（３２）・・・フィルター
（３４），（３６）・・・配管
（３８）・・・運転スイッチ
（４０）・・・圧力リレー
（４０ａ）・・・圧力計
（４２），（４４）・・・配線
（４６）・・・配管
【図１】
2005029967.tif 000003
【図２】
2005029967.tif 000004